(57)【要約】      （修正有）【課題】視聴者が番組放送時間と放送延長時間を入力するだけで、お目当ての番組だけを録画した情報を入手する事ができる番組情報記録装置を提供する。【解決手段】録画したい番組の開始時刻及び終了時刻含む番組時間情報の入力を行う入力装置１と、番組時間情報に基づく第１の録画番組コンテンツ情報を格納する第１の録画情報記憶部３３を有し、入力装置１は、当該録画したい番組前の放送延長により当該録画番組の開始時刻が遅延した場合における当該遅延時間である放送延長時間の入力を行い、第１の録画情報記憶部３３には、あらかじめ、録画したい番組の放送時間とその前に放送される番組の放送最大延長時間とを加えた長さの第２の録画番組コンテンツ情報が格納される。【選択図】図１
2005236477.tif 000002
【特許請求の範囲】
【請求項１】
録画したい番組の開始時刻及び終了時刻含む番組時間情報の入力を行う番組時間情報入力部を含む入力装置と、前記入力された番組時間情報を格納する番組時間記憶部と、あらかじめ、前記番組時間情報に基づく第１の録画番組コンテンツ情報を格納する第１の録画情報記憶部を含む記憶装置を有する番組情報記録装置において、
前記入力装置は、当該録画したい番組前の放送延長により当該録画番組の開始時刻が遅延した場合における当該遅延時間である放送延長時間の入力を行う放送延長時間入力部を有し、
前記第１の録画情報記憶部には、あらかじめ、録画したい番組の放送時間とその前に放送される番組の放送最大延長時間とを加えた長さの第２の録画番組コンテンツ情報が格納され、
前記記憶装置は、前記入力された前記放送延長時間の情報を格納する放送延長時間記憶部を有し、
前記データ処理装置は、前記番組時間情報及び前記放送延長時間情報に基づいて、前記第２の録画番組コンテンツ情報から前記第１の録画番組コンテンツ情報を前記第１の録画情報記憶部から切り出す切り出し処理部を有し、
前記切り出された第１の録画番組コンテンツ情報が前記記憶装置に格納されることを特徴とする番組情報記録装置。
【請求項２】
前記データ処理装置は、前記第１の録画情報記憶部に格納された前記第１の録画番組コンテンツ情報の先頭部分から前記放送延長時間経過後における録画部分の位置（開始位置）を算出すると共に、当該開始位置から録画したい番組の放送時間経過後における録画部分の位置（終了位置）を算出し、この算出した２つの位置情報を前記切り出し処理部に送出する切り出し計算処理部を有することを特徴とする請求項１記載の番組情報記録装置。
【請求項３】
前記記憶部は、コンテンツ切り出し処理部で切り出された前記録画したい番組コンテンツ情報を格納する第２の録画情報記憶部を有し、
前記データ処理装置は、前記第２の録画情報記憶部への前記録画したい番組コンテンツ情報の格納後、前記第１の録画情報記憶部から前記第１の番組コンテンツ情報の削除を行う削除処理部を有する
ことを特徴とする請求項２記載の番組情報記録装置。
【請求項４】
放送延長時間入力部は放送提供者側の番組コンテンツ情報送信手段に設けられ、番組放送に際し放送時間の延長が発生した場合、当該放送延長時間情報を、ネットワークを介して前記放送延長時間入力部から、各視聴者側における前記データ処理装置内へ送信されることを特徴とする請求項１〜３のいずれかに記載の番組情報記録装置。
【請求項５】
録画したい番組の開始時刻及び終了時刻含む番組時間情報の入力を行うステップと、前記入力された番組時間情報を格納するステップと、あらかじめ、前記番組時間情報に基づく第１の録画番組コンテンツ情報を格納するステップを有する番組情報記録方法において、
当該録画したい番組前の放送延長により当該録画番組の開始時刻が遅延した場合における当該遅延時間である放送延長時間の入力を行うステップと、
あらかじめ、録画したい番組の放送時間とその前に放送される番組の放送最大延長時間とを加えた長さの第２の録画番組コンテンツ情報を格納するステップと、
前記入力された前記放送延長時間の情報を格納するステップと、
前記番組時間情報及び前記放送延長時間情報に基づいて、前記第２の録画番組情報コンテンツから前記第１の録画番組コンテンツ情報を切り出すステップと、
前記切り出された第１の録画番組コンテンツ情報を新たに格納するステップを
有することを特徴とする番組情報記録方法。
【請求項６】
前記第１の録画番組コンテンツ情報を切り出すステップにおいて、
当該切り出された第１の録画番組コンテンツ情報は、前記格納された第１の録画番組コンテンツ情報の先頭部分から前記放送延長時間経過後における録画部分の位置（開始位置）と、当該開始位置から録画したい番組の放送時間経過後における録画部分の位置（終了位置）の２つの位置情報を算出することに得られることを特徴とする請求項５記載の番組情報記録方法。
【請求項７】
前記切り出された録画番組コンテンツ情報を新たに格納するステップと、
前記切り出すステップの前にすでに格納された録画したい番組コンテンツ情報を削除するステップを
有することを特徴とする請求項６記載の番組情報記録方法。
【請求項８】
前記放送延長時間の入力を行うステップにおいて、番組放送に際し放送時間の延長が発生した場合、前記放送延長時間の情報は、放送提供者側における番組コンテンツ情報送信手段からネットワークを介して各視聴者側におけるデータ処理装置へ送信されることを特徴とする請求項５〜７のいずれかに記載の番組情報記録方法。
【請求項９】
コンピュータに、
録画したい番組の開始時刻及び終了時刻含む番組時間情報の入力を行うステップと、前記入力された番組時間情報を格納するステップと、
あらかじめ、前記番組時間情報に基づく第１の録画番組コンテンツ情報を格納するステップと、
当該録画したい番組前の放送延長により当該録画番組の開始時刻が遅延した場合における当該遅延時間である放送延長時間の入力を行うステップと、
あらかじめ、録画したい番組の放送時間とその前に放送される番組の放送最大延長時間とを加えた長さの第２の録画番組コンテンツ情報を格納するステップと、
前記入力された前記放送延長時間の情報を格納するステップと、
前記番組時間情報及び前記放送延長時間情報に基づいて、前記第２の録画番組情報コンテンツから前記第１の録画番組コンテンツ情報を切り出すステップと、
前記切り出された第１の録画番組コンテンツ情報を新たに格納するステップを
実行させることを特徴とするプログラム。
【請求項１０】
前記第１の録画番組コンテンツ情報を切り出すステップにおいて、当該切り出された第１の録画番組コンテンツ情報を得るために、前記格納された第１の録画番組コンテンツ情報の先頭部分から前記放送延長時間経過後における録画部分の位置（開始位置）と、当該開始位置から録画したい番組の放送時間経過後における録画部分の位置（終了位置）の２つの位置情報を算出するステップを
前記コンピュータに更に実行させるための請求項９記載のプログラム。
【請求項１１】
前記切り出された録画番組コンテンツ情報を新たに格納するステップと、前記切り出すステップの前にすでに格納された録画したい番組コンテンツ情報を削除するステップを前記コンピュータに更に実行させるための請求項１０記載のプログラム。
【請求項１２】
前記放送延長時間の入力を行うステップにおいて、番組放送に際し放送時間の延長が発生した場合、前記放送延長時間の情報を、放送提供者側における番組コンテンツ情報送信手段からネットワークを介して各視聴者側におけるデータ処理装置へ送信するステップを前記コンピュータに更に実行させるための請求項９〜１１のいずれかに記載のプログラム。
【請求項１３】
請求項９〜１２のいずれかに記載のプログラムを記録したことを特徴とするコンピュータ読取可能な情報記録媒体（コンパクトディスク、フレキシブルディスク、ハードディスク、光磁気ディスク、ディジタルビデオディスク、磁気テープ、または、半導体メモリを含む。）。
【発明の詳細な説明】
【技術分野】
【０００１】
本発明は番組情報記録装置、方法、プログラム、及び記録媒体に関する。
【背景技術】
【０００２】
野球中継などの放送時間延長により、録画予約していた番組の放送開始時刻が変更されてしまう事がある。この場合、視聴者は放送時間延長を考慮して、あらかじめお目当ての番組の放送時間に放送最大延長時間を加えた時間で、予約録画を行う場合が多い。その後、お目当ての番組だけを切り出して、不要な録画部分を削除する作業が必要となる。従来の方式では、お目当ての番組の開始位置と終了位置を、視聴者が画面サーチで追いかけながら頭から順に検索して、その後、編集機能などにより不要な部分を削除していた。この場合、以下の１）〜６）の手順を行う必要があった。
【０００３】
１）お目当ての番組開始位置を見つける為に、録画を開始した位置から、早送りで画面サーチを行いながら、開始位置を目視で探し出す。  
２）番組開始位置が見つかったら、後で録画情報の分割を行なう為に、その場所にマーキングを行う。  
３）番組終了位置を見つけるために、早送りで画面サーチを行いながら、終了位置を目視で探し出す。  
４）番組終了位置が見つかったら、録画情報の分割を行なう為に、その場所にマーキングを行う。  
５）マーキングを行った部分を元に、後で録画情報に対して分割処理を行い、録画情報を３つに分ける。  
６）お目当ての番組の録画情報である中盤部分を残して、不要な前半部分と後半部分の削除を行う。
【０００４】
このように従来の方式では、録画を行った後の作業として、使用者が切り出し位置を見つけ出し、録画情報の分割指示を行い、不要な録画情報を削除する操作を行っており、手間と時間がかかっていた。
【０００５】
また、以下の特許文献１に示すように、録画予約を録画開始時刻、録画終了時刻、および予定延長時刻の指定で行い、予定延長時刻まで録画し、その後、テープに録画しようとした目的の番組の録画データを録画開始時刻に対応する位置からテープに再録画するというような方式もある。
【０００６】
【特許文献１】特開平１１−１７６０３９号公報
【発明の開示】
【発明が解決しようとする課題】
【０００７】
しかしながら、この方式は使用者が録画開始時刻に対応する位置を見つけ出し、その後、テープに録画しようとした目的の番組の録画データを再録画する操作を行っており、上記同様に手間と時間がかかっていた。
【０００８】
すなわち、放送時間の延長が発生する事により、本来はお目当ての番組の録画予約を行うだけで得られたはずの録画内容を得るために、多数の手間と時間が必要となっていた。
【０００９】
本発明の目的は、以上の問題を解決する録画情報の編集機能を有する装置を提供することである。
【課題を解決するための手段】
【００１０】
かかる目的を達成するため、請求項１記載の発明は、録画したい番組の開始時刻及び終了時刻含む番組時間情報の入力を行う番組時間情報入力部（１１）を含む入力装置（１）と、前記入力された番組時間情報を格納する番組時間記憶部（３１）と、あらかじめ、前記番組時間情報に基づく第１の録画番組コンテンツ情報を格納する第１の録画情報記憶部（３３）を含む記憶装置（３）を有する番組情報記録装置であって、前記入力装置（１）は、当該録画したい番組前の放送延長により当該録画番組の開始時刻が遅延した場合における当該遅延時間である放送延長時間の入力を行う放送延長時間入力部（１２）を有し、前記第１の録画情報記憶部（３３）には、あらかじめ、録画したい番組の放送時間とその前に放送される番組の放送最大延長時間とを加えた長さの第２の録画番組コンテンツ情報が格納され、前記記憶装置（３）は、前記入力された前記放送延長時間の情報を格納する放送延長時間記憶部（３２）を有し、前記データ処理装置（２）は、前記番組時間情報及び前記放送延長時間情報に基づいて、前記第２の録画番組コンテンツ情報から前記第１の録画番組コンテンツ情報を前記第１の録画情報記憶部（３３）から切り出す切り出し処理部（２４）を有し、前記切り出された第１の録画番組コンテンツ情報が前記記憶装置（３）に格納されることを特徴とする。
【００１１】
さらに、請求項２記載の発明は、前記データ処理装置（２）が、前記第１の録画情報記憶部（３３）に格納された前記第１の録画番組コンテンツ情報の先頭部分から前記放送延長時間経過後における録画部分の位置（開始位置）を算出すると共に、当該開始位置から録画したい番組の放送時間経過後における録画部分の位置（終了位置）を算出し、この算出した２つの位置情報を前記切り出し処理部（２４）に送出する切り出し計算処理部（２３）を有することを特徴とする。
【００１２】
さらに、請求項３記載の発明は、前記記憶部（３）が、コンテンツ切り出し処理部（２４）で切り出された前記録画したい番組コンテンツ情報を格納する第２の録画情報記憶部（３４）を有し、前記データ処理装置（２）が、前記第２の録画情報記憶部（３４）への前記録画したい番組コンテンツ情報の格納後、前記第１の録画情報記憶部（３３）から前記第１の番組コンテンツ情報の削除を行う削除処理部（２５）を有することを特徴とする。
【００１３】
さらに、請求項４記載の発明は、放送延長時間入力部（１２）が放送提供者側の番組コンテンツ情報送信手段に設けられ、番組放送に際し放送時間の延長が発生した場合、当該放送延長時間情報を、ネットワークを介して前記放送延長時間入力部（１２）から、各視聴者側における前記データ処理装置内へ送信されることを特徴とする。
【００１４】
また、請求項５記載の発明は、録画したい番組の開始時刻及び終了時刻含む番組時間情報の入力を行うステップと、前記入力された番組時間情報を格納するステップと、あらかじめ、前記番組時間情報に基づく第１の録画番組コンテンツ情報を格納するステップを有する番組情報記録方法であって、当該録画したい番組前の放送延長により当該録画番組の開始時刻が遅延した場合における当該遅延時間である放送延長時間の入力を行うステップと、あらかじめ、録画したい番組の放送時間とその前に放送される番組の放送最大延長時間とを加えた長さの第２の録画番組コンテンツ情報を格納するステップと、前記入力された前記放送延長時間の情報を格納するステップと、前記番組時間情報及び前記放送延長時間情報に基づいて、前記第２の録画番組情報コンテンツから前記第１の録画番組コンテンツ情報を切り出すステップと、前記切り出された第１の録画番組コンテンツ情報を新たに格納するステップを有することを特徴とする。
【００１５】
さらに、前記第１の録画番組コンテンツ情報を切り出すステップにおいて、当該切り出された第１の録画番組コンテンツ情報が、前記格納された第１の録画番組コンテンツ情報の先頭部分から前記放送延長時間経過後における録画部分の位置（開始位置）と、当該開始位置から録画したい番組の放送時間経過後における録画部分の位置（終了位置）の２つの位置情報を算出することに得られることを特徴とする。
【００１６】
さらに、請求項７記載の発明は、前記切り出された録画番組コンテンツ情報を新たに格納するステップと、前記切り出すステップの前にすでに格納された録画したい番組コンテンツ情報を削除するステップを有することを特徴とする。
【００１７】
さらに、請求項８記載の発明は、前記放送延長時間の入力を行うステップにおいて、番組放送に際し放送時間の延長が発生した場合、前記放送延長時間の情報は、放送提供者側における番組コンテンツ情報送信手段からネットワークを介して各視聴者側におけるデータ処理装置へ送信されることを特徴とする。
【００１８】
また、請求項９記載の発明は、コンピュータに実行させるプログラムであって、録画したい番組の開始時刻及び終了時刻含む番組時間情報の入力を行うステップと、前記入力された番組時間情報を格納するステップと、あらかじめ、前記番組時間情報に基づく第１の録画番組コンテンツ情報を格納するステップと、当該録画したい番組前の放送延長により当該録画番組の開始時刻が遅延した場合における当該遅延時間である放送延長時間の入力を行うステップと、あらかじめ、録画したい番組の放送時間とその前に放送される番組の放送最大延長時間とを加えた長さの第２の録画番組コンテンツ情報を格納するステップと、前記入力された前記放送延長時間の情報を格納するステップと、前記番組時間情報及び前記放送延長時間情報に基づいて、前記第２の録画番組情報コンテンツから前記第１の録画番組コンテンツ情報を切り出すステップと、前記切り出された第１の録画番組コンテンツ情報を新たに格納するステップを前記コンピュータに実行させることを特徴とする。
【００１９】
さらに、請求項１０記載の発明は、前記第１の録画番組コンテンツ情報を切り出すステップにおいて、当該切り出された第１の録画番組コンテンツ情報を得るために、前記格納された第１の録画番組コンテンツ情報の先頭部分から前記放送延長時間経過後における録画部分の位置（開始位置）と、当該開始位置から録画したい番組の放送時間経過後における録画部分の位置（終了位置）の２つの位置情報を算出するステップを前記コンピュータに更に実行させることを特徴とする。
【００２０】
さらに、請求項１１記載の発明は、前記切り出された録画番組コンテンツ情報を新たに格納するステップと、前記切り出すステップの前にすでに格納された録画したい番組コンテンツ情報を削除するステップを前記コンピュータに更に実行させることを特徴とする。
【００２１】
さらに、請求項１２記載の発明は、前記放送延長時間の入力を行うステップにおいて、番組放送に際し放送時間の延長が発生した場合、前記放送延長時間の情報を、放送提供者側における番組コンテンツ情報送信手段からネットワークを介して各視聴者側におけるデータ処理装置へ送信するステップを前記コンピュータに更に実行させることを特徴とする。
【００２２】
また、請求項１３記載の発明は、上記したプログラムを記録したコンピュータ読取可能な情報記録媒体（コンパクトディスク、フレキシブルディスク、ハードディスク、光磁気ディスク、ディジタルビデオディスク、磁気テープ、または、半導体メモリを含む。）である。
【発明の効果】
【００２３】
本発明によれば、番組録画機器などで、放送時間延長を考慮した予約録画装置に適用できる。また、録画情報を編集する際に、必要な時間の所だけを取り出すような編集機能にも適用できる。
【００２４】
すなわち、番組時間と放送延長時間に基づいて、放送延長部分を含めて録画した内容の中から、お目当ての番組の開始位置と終了位置を自動的に見つけ出し、切り出すため、視聴者が番組放送時間と放送延長時間を入力するだけで、お目当ての番組だけを録画した情報を入手する事ができる所にある。
【発明を実施するための最良の形態】
【００２５】
図１を参照して本願発明の録画情報記録について説明する。本実施例は、リモコンなどの入力装置１とプログラム制御により動作するデータ処理装置２と、情報を記憶する記憶装置３とを含む。入力装置１は、番組時間入力部１１と、放送延長時間入力部１２とを備える。番組時間入力部１１は、お目当ての番組の録画時間（番組開始時刻情報及び終了時刻情報）の入力を行う部分である。
【００２６】
放送延長時間入力部１２は、放送延長が行われた時間、すなわち、お目当ての番組が遅れて開始された場合におけるその番組の遅延時間を入力する部分である。記憶装置３は、番組時間記憶部３１と、放送延長時間記憶部３２と、録画情報１記憶部３３と、録画情報２記憶部３４とを備えている。番組時間記憶部３１は、お目当ての番組の放送時間を記憶する。放送延長時間記憶部３２は、野球中継などの放送時間延長により、お目当ての番組が延長された時間を記憶する。
【００２７】
録画情報１記憶部３３は、放送を録画した情報そのものをあらかじめ格納しておく。ここには、あらかじめ最大放送延長時間を考慮した上で行った録画内容を格納しておく。つまり、野球中継が最大１時間までの延長放送で、お目当ての番組の放送時間が１時間ならば、合計２時間分の録画を行った内容を格納しておく。この場合、前半部分には延長された番組の内容が、途中にはお目当ての番組が、後半部分にはお目当ての番組のあとの放送内容が録画されている。
【００２８】
録画情報２記憶部３４は、お目当ての番組だけを取り出した録画情報を記憶する。データ処理装置２は、番組時間処理部２１と、放送延長時間処理部２２と、切り出し計算処理部２３と切り出し処理部２４と削除処理部２５を備える。
【００２９】
番組時間処理部２１は、番組時間入力装置１１から入力された値を、内部的な時間情報に変換し、番組時間記憶部３１に格納する。放送延長時間処理部２２は、放送延長時間処理部１２から入力された値を、内部的な時間情報に変換し、放送延長時間記憶部３２に格納する。切り出し計算処理部２３は、録画情報１記憶部３３からお目当ての番組を切り出す為に、お目当ての番組の格納開始位置と終了位置の計算を行う。
【００３０】
切り出し処理部２４では、録画情報１記憶部３３からお目当ての番組だけの切り出しを行い、録画情報２記憶部３４への格納を行う。削除処理部２５では、録画情報１記憶部３３の録画情報の削除を行う。
【００３１】
次に、図１及び図２を参照して本実施の形態の動作について詳細に説明する。
【００３２】
まず、録画情報１記憶部３３には、あらかじめ放送最大延長時間とお目当ての番組の放送時間を加えた長さで録画した内容が格納されている。これは、例えば予約録画などで、番組放送時間１時間と最大延長１時間を合わせた２時間分の予約録画を行うような場合を想定している。
【００３３】
次に、番組時間入力部１１から、お目当ての番組の時間（長さ）を入力する。その値を、番組時間処理部２１で番組時間記憶部３１に格納する。
【００３４】
次に、放送延長時間入力部１２から、延長された時間（長さ）を入力する。その値を、放送延長時間処理部２２で放送延長時間記憶部３２に格納する。
【００３５】
次に、切り出し計算処理部２３にて、録画情報１記録部の先頭から、放送延長時間記憶部３２の時間だけ経過した録画部分の位置（開始位置）を算出する。次に、その位置から番組時間記憶部３１の時間だけ経過した録画部分の位置（終了位置）を算出する。そして、算出した２つの位置を切り出し処理部に送る。
【００３６】
次に、切り出し処理部２４では、切り出し計算処理部２３から提供された開始位置と終了位置を用いて、録画情報１記憶部３３の中で開始位置から終了位置までの録画情報を、録画情報２記憶部３４に複製する。
【００３７】
次に、削除処理部２５では、録画情報１記憶部３３に残っている録画情報を削除する。
【００３８】
次に、本発明の他の実施の形態について図面を参照して詳細に説明する。入力装置１の中の番組時間入力部１１および放送延長時間入力部１２と、データ処理装置２の中の番組時間処理部２１および放送延長時間処理部２２が、従来は同じ装置の中にある事を想定していたが、図３を参照すると本実施の形態は、ネットワークなどでつながった方式を有する事を想定している点が異なる。また、データ処理装置２と記憶装置３は、録画を行う視聴者おのおのが持つ複数の装置を想定している。図３のデータ処理装置２と記憶装置３は、そのうちの一つを表している。本来、入力装置１から提供される番組時間や放送延長時間は、各視聴者に対しては同じ値で構わない筈で、それは放送提供者側から提供すべき情報である。入力装置１を放送提供者側に備えておき、番組放送に際して放送時間延長などの番組放送時間のシフトが発生した場合には、番組時間情報と放送延長時間をブロードバンド的に放送提供者側の入力装置１から、各視聴者の所持するデータ処理装置２へ送信する。そうする事で、番組放送時間が延長された場合には、自動的にお目当ての番組だけを録画する事ができ、視聴者は番組放送時間や放送延長時間の入力を行う必要が無くなる。
【図面の簡単な説明】
【００３９】
【図１】本発明の第１の実施の形態に係る番組情報記録装置の構成を示した図である。
【図２】本発明の第１の実施の形態に係る番組情報記録装置の動作を説明するためのフローチャートである。
【図３】本発明の第２の実施の形態に係る番組情報記録装置の構成を示した図である。
【符号の説明】
【００４０】
１    入力装置
２    データ処理装置
３    記憶装置
１１    番組時間入力部
１２    放送延長時間入力部
２１    番組時間処理部
２２    放送延長時間処理部
２３    切り出し計算処理部
２４    切り出し処理部
２５    削除処理部
３１    番組時間記憶部
３２    放送延長時間記憶部
３３    録画情報１記憶部
３４    録画情報２記憶部
【図１】
2005236477.tif 000003
【図２】
2005236477.tif 000004
【図３】
2005236477.tif 000005